(57)【要約】      （修正有）【課題】ヘッドボックスの取り付けが容易であり、かつヘッドボックスを安定して支持することができる取付ブラケットの提供。【解決手段】ブラケット本体５と、ブラケット本体５に対してスライド可能に支持されるスライドブロック７と、スライドブロック７をブラケット本体５から離れる方向に付勢する付勢部材９とを備え、ブラケット本体５は、ヘッドボックスの前縁を支持する本体掛止部５ａｃ、５ａｄを２つ備え、スライドブロック７は、ヘッドボックスの後縁を支持するスライドブロック掛止部７ａを備え、本体掛止部５ａｃ、５ａｄとスライドブロック掛止部７ａによってヘッドボックスの前後両縁を支持可能である。【選択図】図１
2014211059.tif 000002
【特許請求の範囲】
【請求項１】
ブラケット本体と、前記ブラケット本体に対してスライド可能に支持されるスライドブロックと、前記スライドブロックを前記ブラケット本体から離れる方向に付勢する付勢部材とを備え、
前記ブラケット本体は、前記ヘッドボックスの前縁を支持する本体掛止部を２つ備え、前記スライドブロックは、前記ヘッドボックスの後縁を支持するスライドブロック掛止部を備え、前記本体掛止部と前記スライドブロック掛止部によって前記ヘッドボックスの前後両縁を支持可能であるヘッドボックスの取付ブラケットであって、
以下の（１）〜（２）の少なくとも１つの特徴を有する、ヘッドボックスの取付ブラケット。
（１）前記前縁を前記本体掛止部で支持し且つ前記後縁を前記スライドブロック掛止部で支持していない仮止状態で前記前縁が前記本体掛止部から外れることを防ぐ係止部を前記２つの本体掛止部のうちの一方のみに備え、前記本体掛止部と前記スライドブロック掛止部によってヘッドボックスの前後両縁を支持した状態では両方の前記本体掛止部が前記ヘッドボックスから加わる荷重を受ける。
（２）前記前縁を前記本体掛止部で支持し且つ前記後縁を前記スライドブロック掛止部で支持していない仮止状態で前記前縁が前記本体掛止部から外れることを防ぐ係止部を前記２つの本体掛止部のうちの一方又は両方に備え、前記仮止状態で前記前縁を前後方向に移動可能な距離が前記前縁の板厚以上である。
【請求項２】
前記ブラケット本体は、上壁と、前記上壁の両側から下方に向けられた第１及び第２側壁とを備え、
前記２つの前記本体掛止部は、第１及び第２側壁に形成される、請求項１に記載の取付ブラケット。
【発明の詳細な説明】
【技術分野】
【０００１】
この発明は、横型ブラインド、縦型ブラインド、たくし上げカーテン、プリーツスクリーン、ロールブラインド等の日射遮蔽装置のヘッドボックスの取り付けに利用される取付ブラケットに関する。
【背景技術】
【０００２】
特許文献１に記載の取付ブラケットは、ブラケット本体に、弾性を有する合成樹脂等で形成されたスライドブロックをスライド可能に支持している。そして、スライドブロックを待機位置に保持した状態でヘッドボックスの前縁をブラケット本体に掛止めし、この状態でヘッドボックスでスライドブロックの係止片を押圧することにより、スライドブロックを付勢手段の付勢力でヘッドボックス保持位置までスライドさせてヘッドボックスの他側を係止するようになっている。
【０００３】
ヘッドボックスの取り付けには、通常、複数の取付ブラケットが用いられる。最初に、複数の取付ブラケットを天井面や壁面に取り付け、その後、ヘッドボックスの前縁を全ての取付ブラケットのブラケット本体の掛止部に支持させる。そして、その状態で、ヘッドボックスの後縁をスライドブロックの掛止部で係止することによって、ヘッドボックスを取付ブラケットに取り付ける。
【０００４】
この作業は、複数の取付ブラケットの前後方向の位置が揃っていればスムーズに行うことができるが、特に取付ブラケットを天井面に取り付ける際には前後方向の位置がずれてしまう場合があり、その場合、ヘッドボックスの前縁をブラケット本体の掛止部に支持させることが困難になる場合がある。
【０００５】
このような問題を解決するために、特許文献２では、取付ブラケットの掛止部を、幅方向中央に設けた薄肉の１つのフックとすることによって、複数の取付ブラケットの前後方向の位置がずれている場合でもヘッドボックスの取り付けを可能にしている。
【先行技術文献】
【特許文献】
【０００６】
【特許文献１】実用新案登録第３１５０５５５号
【特許文献２】実開平１−１１４７９８号
【発明の概要】
【発明が解決しようとする課題】
【０００７】
特許文献２の取付ブラケットは、ブラケット本体の掛止部が中央の１つのフックで構成されているので、特許文献１のようにブラケット本体の幅方向の両側に１つずつのフックを有するタイプの取付ブラケットに比べると、ヘッドボックスの支持が不安定になる傾向があり、かつ耐荷重の上限も小さくなる傾向がある。このため、日射遮蔽装置の使用環境によっては、最悪の場合にはヘッドボックスが取付ブラケットから外れてしまう状況も想定される。
【０００８】
本発明はこのような事情に鑑みてなされたものであり、ヘッドボックスの取り付けが容易であり、かつヘッドボックスを安定して支持することができる取付ブラケットを提供するものである。
【課題を解決するための手段】
【０００９】
本発明によれば、ブラケット本体と、前記ブラケット本体に対してスライド可能に支持されるスライドブロックと、前記スライドブロックを前記ブラケット本体から離れる方向に付勢する付勢部材とを備え、前記ブラケット本体は、前記ヘッドボックスの前縁を支持する本体掛止部を２つ備え、前記スライドブロックは、前記ヘッドボックスの後縁を支持するスライドブロック掛止部を備え、前記本体掛止部と前記スライドブロック掛止部によって前記ヘッドボックスの前後両縁を支持可能であるヘッドボックスの取付ブラケットであって、以下の（１）〜（２）の少なくとも１つの特徴を有する、ヘッドボックスの取付ブラケットが提供される。
（１）前記前縁を前記本体掛止部で支持し且つ前記後縁を前記スライドブロック掛止部で支持していない仮止状態で前記前縁が前記本体掛止部から外れることを防ぐ係止部を前記２つの本体掛止部のうちの一方のみに備え、前記本体掛止部と前記スライドブロック掛止部によってヘッドボックスの前後両縁を支持した状態では両方の前記本体掛止部が前記ヘッドボックスから加わる荷重を受ける。
（２）前記前縁を前記本体掛止部で支持し且つ前記後縁を前記スライドブロック掛止部で支持していない仮止状態で前記前縁が前記本体掛止部から外れることを防ぐ係止部を前記２つの本体掛止部のうちの一方又は両方に備え、前記仮止状態で前記前縁を前後方向に移動可能な距離が前記前縁の板厚以上である。
【００１０】
特許文献２のようにブラケット本体の掛止部を１つのフックにすればヘッドボックスは取り付けやすくなるが、その代償として取り付け後の安定性が低下する傾向があるので、ヘッドボックスが取り付けやすく且つその後にも安定して支持されるという施工性と安定性を両立させることは容易ではない。
【００１１】
本発明者はこのような状況において、施工性と安定性を両立させることができる取付ブラケットを開発すべく鋭意検討を行ったところ、ブラケット本体に２つの本体掛止部を設け、（１）その一方のみにヘッドボックスの前縁が本体掛止部から外れることを防ぐ係止部を設けるか、（２）仮止め状態で前記前縁を本体掛止部内で前後方向に移動可能な距離が前記前縁の板厚以上である、という構成を採用することによって、安定性が損なわれることなく施工性が向上することが分かり、本発明の完成に到った。
【００１２】
重要な点は、本発明では、本体掛止部が２つであることを前提としていることである。本体掛止部が１つであると安定性が損なわれる傾向があるからである。そして、その前提を保ちつつ上記の（１）〜（２）の少なくとも一方の構成を採用することによって、施工性と安定性を両立させることに成功した。
【００１３】
以下、本発明の種々の実施形態を例示する。以下に示す実施形態は互いに組み合わせ可能である。
好ましくは、前記ブラケット本体は、上壁と、前記上壁の両側から下方に向けられた第１及び第２側壁とを備え、前記２つの前記本体掛止部は、第１及び第２側壁に形成される。
【図面の簡単な説明】
【００１４】
【図１】本発明の第１実施形態の取付ブラケット３の斜視図である。
【図２】図１の取付ブラケット３の分解斜視図である。
【図３】図３（ａ）は図２の領域Ａの拡大図であり、図３（ｂ）は別の角度から見た斜視図であり、図３（ｃ）は、図１の領域Ａの拡大図である。
【図４】図２を別の角度から見た斜視図である。
【図５】図５は、スライドブロック７をブラケット本体５に取り付ける方法の説明図であり、図５（ａ），（ｃ），（ｅ）は右側面図であり、（ｂ），（ｄ），（ｆ）は、図６（ｂ）の断面Ｃに対応した断面図である。
【図６】図６は、ヘッドボックス１を取付ブラケット３に取り付けている途中の図であり、図６（ａ）は右側面図、図６（ｂ）は図６（ａ）からブラケット本体５の上壁５ｂを取り除いた平面図であり、図６（ｃ）〜（ｅ）は図６（ｂ）中の断面Ａ〜Ｃに対応する断面図である。
【図７】図７は、ヘッドボックス１を取付ブラケット３に取り付けた後の図であり、図７（ａ）〜（ｄ）は、図６（ａ）〜（ｃ）及び（ｅ）に対応する図である。
【図８】図８（ａ）は、図６（ａ）中の領域Ｘの拡大図であり、図８（ｂ）は、図６（ｅ）中の領域Ｙの拡大図であり、図８（ｃ）は、図９に示すように取付ブラケット３の前後方向の位置がずれた場合の図８（ｂ）に対応する図である。図８（ｄ）は、図７（ａ）中の領域Ｘの拡大図であり、図８（ｅ）は、図７（ｄ）中の領域Ｙの拡大図であり、図８（ｆ）は、図９に示すように取付ブラケット３の前後方向の位置がずれた場合の図８（ｅ）に対応する図である。
【図９】複数の取付ブラケット３の前後方向の位置が互いにずれている状態を示す、取付ブラケット３を下から見た底面図である。
【図１０】図１０（ａ）〜（ｆ）は、本発明の第２実施形態の取付ブラケット３を示す、図８（ａ）〜（ｆ）に対応した図である。
【図１１】図１１は、本発明の第３実施形態の取付ブラケット３を示す、図７（ｃ）に対応した図である。
【発明を実施するための形態】
【００１５】
以下、本発明の実施形態について説明する。以下に示す実施形態中で示した各種特徴事項は、互いに組み合わせ可能である。
【００１６】
１．第１実施形態
まず、本発明の第１実施形態の取付ブラケット３の全体構成を説明する。
図１〜図９に示すように、ヘッドボックス１を取着可能である取付ブラケット３は、ブラケット本体５と、ブラケット本体５に対してスライド可能に支持されるスライドブロック７と、スライドブロック７をブラケット本体５から離れる方向に付勢するコイルスプリング（付勢部材）９とを備える。通常、ブラケット本体５は、金属板を折り曲げて形成され、スライドブロック７は、弾性を有する合成樹脂で成形される。
【００１７】
ブラケット本体５は、第１及び第２本体掛止部５ａｃ，５ａｄを備え、スライドブロック７は、スライドブロック掛止部７ａを備える。図６〜図７に示すように、本体掛止部５ａｃ，５ａｄとスライドブロック掛止部７ａによってヘッドボックス１の前後両縁１ａ，１ｂが支持されることによって、ヘッドボックス１が取付ブラケット３に固定される。図１〜図２に示すように、２つの本体掛止部５ａｃ，５ａｄのうち、一方（第１本体掛止部５ａｃ）にのみ、ヘッドボックス１の前縁１ａが本体掛止部５ａｃ，５ａｄから外れることを防ぐ係止部５ｔｃが設けられる。係止部５ｔｃを両方の本体掛止部５ａｃ，５ａｄに設けた場合に比べて、複数の取付ブラケット３の前後方向の位置がずれた場合でもヘッドボックス１を本体掛止部５ａｃ，５ａｄに支持させることが容易になり、施工性が向上し且つヘッドボックス１を取り付け後の安定性が向上する（後で詳細に説明する）。
【００１８】
ブラケット本体５は、上壁５ｂと、上壁５ｂの両側から下方に向けられた側壁５ｃ，５ｄとを備える。側壁５ｃ，５ｄは、通常、上壁５ｂの両側を直角に折り曲げて形成される。本体掛止部５ａｃ，５ａｄは、フック状の本体掛止部５ａｃ，５ａｄが残るように側壁５ｃ，５ｄを切り抜いて形成される。スライドブロック７は、本体部７ｂの両側面から突出する係合凸部７ｃ、７ｄを備える。側壁５ｃ，５ｄは、係合凸部７ｃ、７ｄと係合して前記スライドブロック７をブラケット本体５に対してスライド可能に支持するスライド孔５ｃｓ，５ｄｓを備える。ブラケット本体５は、垂直な壁面への取り付けに用いる垂直壁５ｈも備える。上壁５ｂ及び垂直壁５ｈには、それぞれ取付孔５ｂｈ，５ｈｈが設けられており、取付孔５ｂｈ，５ｈｈにビスを挿通させて、取付ブラケット３を天井面又は壁面（図示せず）に固定する。
【００１９】
図２及び図７に示すように、ブラケット本体５は、ヘッドボックス１の上面に対向する領域１ｃにおいては、側壁５ｃ，５ｄの何れからも内側方向への突出部を備えておらず、ヘッドボックス１の上面に対向しない領域１ｄにおいてスライドブロック掛止部７ａに加わる荷重を受ける支持部５ｅを備える。図７に示すように、支持部５ｅは、本体掛止部５ａｃ，５ａｄとスライドブロック掛止部７ａによってヘッドボックス１が支持されている状態においてスライドブロック掛止部７ａを下側から支持可能な位置に設けられる。支持部５ｅは、側壁５ｃ，５ｄをそれぞれ内側に折り曲げて形成される。また、支持部５ｅは、スライドブロック掛止部７ａよりも幅方向外側に位置する後方側部７ｃｅ，７ｄｅにおいてスライドブロック７を支持する。図７に示すように、本体掛止部５ａｃ，５ａｄとスライドブロック掛止部７ａによってヘッドボックス１が支持されている状態では、後方側部７ｃｅ，７ｄｅの下面は、ヘッドボックス１の後縁１ｂと略同じ高さになる。
【００２０】
スライドブロック７は、幅方向外側に突出する仮止突出部７ｇを有する仮止アーム７ｆを備える。仮止突出部７ｇは、図３に示すように、幅方向外側に向かって低くなる上側テーパー面７ｇａが設けられている。ブラケット本体５には、ヘッドボックス１を支持するときよりも、図６に示すように本体掛止部５ａｃ，５ａｄとスライドブロック掛止部７ａが離れた状態で仮止突出部７ｇを係止する仮止係止部５ｇを備える。図３に示すように、仮止係止部５ｇは、前側テーパー面５ｇｆを前側に有し、仮止係止部５ｇの後側の後側切欠５ｃｕの上面には、幅方向内側に向いたテーパー面５ｃｔが設けられる。さらに、仮止突出部７ｇは、図３に示すように、仮止係止部５ｇによって係止される前側係止面７ｇｃを前側に有し、幅方向内側に傾斜する後側テーパー面７ｇｂを後側に有し、下側に突出する下側突起７ｇｕを下側に有する。
【００２１】
図４に示すように、スライドブロック７の後方側部７ｄｅから前方に向かって、コイルスプリング９を収容するコイルスプリング収容部７ｉが設けられる。図６（ｄ）に示すように、コイルスプリング収容部７ｉの底面には、コイルスプリング９の直径よりも幅が狭い溝７ｊが設けられる。このような溝７ｊを設けることによってコイルスプリング９の落下を防ぎつつ、できるだけ直径が大きいコイルスプリング９を使用することを可能にしている。ブラケット本体５には、上壁５ｂからコイルスプリング収容部７ｉ内に突出するコイルスプリング当接部５ｉを備える。
【００２２】
次に、本実施形態の取付ブラケット３の組立方法について説明する。
まず、図５（ａ）〜（ｂ）に示すように、ブラケット本体５と、スライドブロック７と、コイルスプリング９を準備し、コイルスプリング９をスライドブロック７のコイルスプリング収容部７ｉ内に収容する。
次に、図５（ｃ）〜（ｄ）に示すように、スライドブロック７の後方側部７ｃｅ，７ｄｅを、ブラケット本体５の支持部５ｅと上壁５ｂの間に挿入する。この際、コイルスプリング９の一端をコイルスプリング当接部５ｉに当接させる。
そのまま、スライドブロック７を押し込み、かつ係合凸部７ｃ，７ｄをスライド孔５ｃｓ，５ｄｓに係合させて、図５（ｅ）〜（ｆ）に示す状態にして、取付ブラケット３の組み立てが完了する。係止凸部７ｃ，７ｄは、ブラケット本体５の下側から側壁５ｃ，５ｄを乗り越えて、スライド孔５ｃｓ，５ｄｓに係合させるので、この係合に必要な力を低減するように、図４に示すように、係合凸部７ｃ，７ｄの上側の面には、幅方向外側に向かって低くなるテーパー面７ｃｔ，７ｄｔが形成されている。
【００２３】
また、図４に示すように、係合凸部７ｃ，７ｄは、スライドブロック７に設けられた両持ちアーム７ｃａ，７ｄａに設けられている。片持ちアームではなく両持ちアーム７ｃａ，７ｄａに設けられているので、係合凸部７ｃ，７ｄを幅方向の内側に押し込むには比較的強い力が必要であり、そのため、係合凸部７ｃ，７ｄは、スライド孔５ｃｓ，５ｄｓからは容易に外れない。このために、係合凸部７ｃ，７ｄは、スライドブロック７を支持する支持部として機能する。従来技術においては、片持ちアームに係合凸部が設けられているものがあるが、このような係合凸部は弱い力でも幅方向の内側に押し込まれてしまい、支持部としては機能しない。
【００２４】
次に、取付ブラケット３にヘッドボックス１を取り付ける方法について説明する。
まず、ヘッドボックス１を取り付ける前に、図６に示すように、スライドブロック７をブラケット本体５の方向に押し込んで、仮止突出部７ｇを仮止係止部５ｇに係合させる。これによって、スライドブロック７が仮止めされて、スライドブロック掛止部７ａが本体掛止部５ａｃ，５ａｄから離れた状態で保持される。より詳しくは、スライドブロック７をブラケット本体５の方向に押し込むと、最初に図３に示す後側テーパー面７ｇｂが仮止係止部５ｇの前側テーパー面５ｇｆに当接し、そのまま押しこむと仮止アーム７ｆが弾性変形して仮止突出部７ｇが幅方向内側に押し込まれて側壁５ｃの内側に入り込み、その状態からスライドブロック７をさらに押し込むと、仮止突出部７ｇが仮止係止部５ｇを乗り越えて、後側切欠５ｃｕ内に入り込む。そして、仮止突出部７ｇの前側係止面７ｇｃが仮止係止部５ｇに係止される。スライドブロック７は、コイルスプリング９によってブラケット本体５から離れる方向に付勢されているが、前側係止面７ｇｃが仮止係止部５ｇによって係止されることによって、スライドブロック７の前方への移動が阻止される。なお、スライドブロック７は、仮止突出部７ｇとは反対側の側面に低い突起７ｋを有し、この突起７ｋがブラケット本体５の側壁５ｄに当接して、ブラケット本体５に対するスライドブロック７の幅方向のガタつきを低減して、仮止突出部７ｇが仮止係止部５ｇから外れることを防いでいる。
【００２５】
次に、図６〜図７に示すように、ヘッドボックス１の前縁１ａを本体掛止部５ａｃ，５ａｄに支持させながら、ヘッドボックス１の後側を持ち上げて、ヘッドボックス１の後縁１ｂをスライドブロック掛止部７ａに支持させる。この際、ヘッドボックス１の後側の上面１ｅが、仮止突出部７ｇの下側にある下側突起７ｇｕに当接して、仮止突出部７ｇを上方に押し上げる。図３に示すように、仮止突出部７ｇの上側の面には、幅方向外側に向かって低くなる上側テーパー面７ｇａが設けられているので、仮止突出部７ｇが押し上げられると、仮止突出部７ｇは幅方向内側に押し込まれて側壁５ｃの内側に入り込むことにより、前側係止面７ｇｃと仮止係止部５ｇとの係合が外れる。これによって、コイルスプリング９による付勢力によりスライドブロック７がブラケット本体５から離れる方向に移動し、本体掛止部５ａｃ，５ａｄとスライドブロック掛止部７ａの間の距離が狭まって、図７に示すように、本体掛止部５ａｃ，５ａｄとスライドブロック掛止部７ａの間にヘッドボックス１が保持される。なお、後側切欠５ｃｕの上面には幅方向外側に向かって低くなるテーパー面５ｃｔが設けられているので、上側テーパー面７ｇａと側壁５ｃとが面で接触して上側テーパー面７ｇａの摩耗が低減され、かつ仮止突出部７ｇが幅方向内側に移動しやすくなっている。さらに、仮止係止部５ｇの後側には、前側テーパー面５ｇｆが設けられているので、仮止突出部７ｇが幅方向内側に押し込まれた状態から開放されて、図３（ｃ）に示すような、前側切欠５ｃｆ内に入った状態に戻りやすい。
【００２６】
スライドブロック７の前側では、係合凸部７ｃ，７ｄの下面がスライド孔５ｃｓ，５ｄｓで支持され、後側では、後方側部７ｃｅ，７ｄｅが支持部５ｅで支持される。ヘッドボックス１からの荷重の多くは、スライドブロック掛止部７ａを通じてスライドブロック７の後側に加わるので、ヘッドボックス１の上面に対向する領域１ｃでは、ブラケット本体５を内側に突出させて別の支持部を設けなくても、スライドブロック７が外れることがない。
【００２７】
ここで、図８〜図９を用いて、ヘッドボックス１を取付ブラケット３に取り付ける際の、ヘッドボックス１の前縁１ａと、本体掛止部５ａｃ，５ａｄと状態について詳細に説明する。
図８（ａ）に示すように、ヘッドボックス１の前縁１ａの先端は下方向に突出しており、この前縁突出部１ａｔが、第１本体掛止部５ａｃの係止部５ｔｃによって係止される。これによって、前縁１ａが本体掛止部５ａｃ，５ａｄで支持され且つ後縁１ｂがスライドブロック掛止部７ａで支持されていない仮止状態において、前縁１ａが本体掛止部５ａｃ，５ａｄから外れることを防ぐことができる。
【００２８】
２つの本体掛止部５ａｃ，５ａｄのうち、第１本体掛止部５ａｃには係止部５ｔｃが設けられているが、図８（ｂ）に示すように、第２本体掛止部５ａｄには係止部５ｔｃが設けられていない。そのため、ヘッドボックス１の前縁１ａは第２本体掛止部５ａｄでは拘束されておらず、図８（ｂ）の矢印Ａで示す方向に移動可能である。
【００２９】
図９に示すように、２つの取付ブラケット３の前後方向の位置が距離ｄだけずれている場合、第１本体掛止部５ａｃに対する前縁１ａの相対位置は図８（ａ）のまま変わらないが、第２本体掛止部５ａｄに対する前縁１ａの相対位置は、図８（ｃ）のように変わることができる。このため、図９のような状態の場合でも特に問題なく、前縁１ａを本体掛止部５ａｃ，５ａｄで支持することができ、施工性に優れている。
【００３０】
また、後縁１ｂをスライドブロック掛止部７ａで支持させた後は、図８（ｄ）に示すように、前縁１ａが第１本体掛止部５ａｃで支持され、かつ図８（ｅ）〜（ｆ）に示すように、前縁１ａの前縁突出部１ａｔが第２本体掛止部５ａｄで支持される。このように、ヘッドボックス１の前縁１ａは、本体掛止部５ａｃ，５ａｄの両方で支持されるので、安定性に優れている。
【００３１】
以上のように、本実施形態では、本体掛止部５ａｃ，５ａｄの一方のみに係止部５ｔｃが設けられているので、施工性及び安定性に優れている。
【００３２】
２．第２実施形態
図１０を用いて、本発明の第２実施形態について説明する。
本実施形態では、本体掛止部５ａｃ，５ａｄ及び前縁１ａの前後方向の長さが第１実施形態よりも長くなっている。このため、図１０（ａ）に示すように、前縁１ａが本体掛止部５ａｃ，５ａｄに支持されている状態でも、前縁１ａは、距離Ｓだけ前後方向に移動可能になっている。従来では本体掛止部５ａｃ，５ａｄに前縁１ａを支持させた状態では、前縁１ａを前後方向に移動可能な範囲は通常は板厚の０．５倍程度であった。本実施形態では、この可動距離Ｓを、前縁１ａの板厚Ｔの１倍以上とすることによって、図９に示すように取付ブラケット３の位置が距離ｄだけ前後方向にずれている場合でも前縁１ａを本体掛止部５ａｃ，５ａｄに容易に支持させることができるようにした。Ｓ／Ｔの値は、施工性の観点からは大きい方が好ましいが、この値が大きいほど、取付ブラケット３がヘッドボックス１から部屋内側に大きく突き出て美観を害することになるので、必要以上に大きくない方が好ましく、施工性と美観の観点からＳ／Ｔは、１〜３が好ましく、１．５〜２．５がさらに好ましい。
【００３３】
本実施形態では、図１０に示すように、第２本体掛止部５ａｄにも係止部５ｔｃが設けられているが、第２本体掛止部５ａｄに対する前縁１ａの相対位置は、図１０（ｃ）のように変わることができるので、取付ブラケット３の位置が前後方向にずれている場合でも、ヘッドボックス１を容易に取り付けることができる。
【００３４】
なお、本実施形態においても、係止部５ｔｃは、第１本体掛止部５ａｃのみに設けることが好ましい。この場合、取付ブラケット３がヘッドボックス１から部屋内側に突き出る長さを変えることなく、施工性を向上させることができるからである。
【００３５】
３．第３実施形態
図１１を用いて、本発明の第３実施形態について説明する。
第１及び第２実施形態では、スライドブロック掛止部７ａに加わる荷重を後方側部７ｃｅ，７ｄｅに当接する支持部５ｅで受けていたが、本実施形態では、図１１に示すように、支持部５ｅは、スライドブロック掛止部７ａの下面７ｈに当接するように設けられる。その場合、支持部５ｅは、ブラケット本体５の垂直壁５ｈを切り曲げて形成することができる。
【００３６】
第１〜第３実施形態の取付ブラケット３は、以下の態様で実施することもできる。
・垂直壁５ｈは、必須ではなく、省略可能である。
・上記実施形態では、本体掛止部５ａｃ，５ａｄが前後方向の外側から前縁１ａを支持する内掛け式であるが、本体掛止部５ａｃ，５ａｄが前後方向の内側から前縁１ａを支持する外掛け式であってもよい。
・上記実施形態ではスライドブロック７の係合凸部７ｃ，７ｄを、スライド孔５ｃｓ，５ｄｓに係合させることによって、ブラケット本体５がスライドブロック７を支持する構成になっているが、このような構成に限定されず、従来技術のように、ブラケット本体５の側壁５ｃ，５ｄを、ヘッドボックス１の上面に対向する領域１ｃにおいて幅方向内側に折り曲げてスライドブロック７を支持するように構成してもよい。
・スライドブロック７の仮止めは必須ではなく、仮止アーム７ｆと仮止突出部７ｇは必須ではない。
【符号の説明】
【００３７】
１：ヘッドボックス
１ａ：前縁
１ｂ：後縁
１ｃ：ヘッドボックス１の上面に対向する領域
１ｄ：ヘッドボックス１の上面に対向しない領域
３：取付ブラケット
５：ブラケット本体
５ａｃ，５ａｄ：本体掛止部
５ｔｃ：係止部
７：スライドブロック
７ａ：スライドブロック掛止部
９：コイルスプリング
【図１】
2014211059.tif 000003
【図２】
2014211059.tif 000004
【図３】
2014211059.tif 000005
【図４】
2014211059.tif 000006
【図５】
2014211059.tif 000007
【図６】
2014211059.tif 000008
【図７】
2014211059.tif 000009
【図８】
2014211059.tif 000010
【図９】
2014211059.tif 000011
【図１０】
2014211059.tif 000012
【図１１】
2014211059.tif 000013